(57)【要約】      （修正有）【課題】主に、外壁パネルをビスで傷付けることなどを防止し得る外壁ビス止め治具を提供する。【解決手段】建物本体に外壁パネル２をビス３で固定する際に用いる外壁ビス止め治具に関し、外壁パネル２の目地５へ先端部を挿入配置可能な治具本体６と、治具本体６の側部に設けられてビス３を治具本体６に着脱可能に保持すると共に、保持したビス３を目地５へ臨ませるビス保持部７とを有する。ビス保持部７は、目地５に沿って延設された一対の挟着片１１を有している。一対の挟着片１１は、治具本体６の先端側に設けられ、外面間の間隔が目地５の幅２２と等しい寸法とされ、内面間の間隔がビス３の胴部の直径と同等の寸法とされても良い。挟着片１１は、目地５の深さ３１と同等の板幅を有して、ビス３の頭部の直径よりも長く延びても良い。【選択図】図６
2020097838.tif 000002
【特許請求の範囲】
【請求項１】
建物本体に外壁パネルをビスで固定する際に用いる外壁ビス止め治具であって、前記外壁パネルの目地へ先端部を挿入配置可能な治具本体と、該治具本体の側部に設けられて前記ビスを前記治具本体に着脱可能に保持すると共に、保持した前記ビスを前記目地へ臨ませるビス保持部とを有し、
該ビス保持部は、前記目地に沿って延設された一対の挟着片を有し、
一対の該挟着片は、前記治具本体の先端側に設けられ、外面間の間隔が前記目地の幅と等しい寸法とされ、内面間の間隔が前記ビスの胴部の直径と同等の寸法とされていることを特徴とする外壁ビス止め治具。
【請求項２】
請求項１または請求項３のいずれか１項に記載の外壁ビス止め治具であって、
前記挟着片は、前記目地の深さと同等の板幅を有して、前記ビスの頭部の直径よりも長く延びることを特徴とする外壁ビス止め治具。
【請求項３】
請求項１または請求項２に記載の外壁ビス止め治具であって、
前記治具本体は、前記先端部が前記目地の内部へ挿入される挿入部とされ、該挿入部よりも基端側が把持部とされていることを特徴とする外壁ビス止め治具。
【請求項４】
請求項１ないし請求項３のいずれか１項に記載の外壁ビス止め治具であって、
前記治具本体は、一対のＬ字型をした板材の間に、スペーサを挟み込んで一体化したものとされたことを特徴とする外壁ビス止め治具。
【発明の詳細な説明】
【技術分野】
【０００１】
この発明は、外壁ビス止め治具に関するものである。
【背景技術】
【０００２】
住宅などの建物では、建物本体に対して外壁パネルをビス止めによって固定することが行われている（例えば、特許文献１参照）。
【先行技術文献】
【特許文献】
【０００３】
【特許文献１】特開２００９−９７２０９号公報
【発明の概要】
【発明が解決しようとする課題】
【０００４】
上記特許文献１では、建物本体に対し外壁パネルの目地の部分をビス止めするようにしていたが、例えば、外壁パネルが、通常よりも幅の狭い目地を有している場合には、目地にビスを捩じ込むことが難しくなるため、外壁パネルをビスで傷付けてしまうおそれなどが生じる。
【０００５】
そこで、本発明は、主に、上記した問題点を解決することを目的としている。
【課題を解決するための手段】
【０００６】
上記課題を解決するために、本発明は、建物本体に外壁パネルをビスで固定する際に用いる外壁ビス止め治具であって、前記外壁パネルの目地へ先端部を挿入配置可能な治具本体と、該治具本体の側部に設けられて前記ビスを前記治具本体に着脱可能に保持すると共に、保持した前記ビスを前記目地へ臨ませるビス保持部とを有し、該ビス保持部は、前記目地に沿って延設された一対の挟着片を有し、一対の該挟着片は、前記治具本体の先端側に設けられ、外面間の間隔が前記目地の幅と等しい寸法とされ、内面間の間隔が前記ビスの胴部の直径と同等の寸法とされていることを特徴とする。
【発明の効果】
【０００７】
本発明によれば、上記構成によって、外壁パネルをビスで傷付けることなどが防止できる。
【図面の簡単な説明】
【０００８】
【図１】建物に対して外壁パネルを設置する状態を示す斜視図である。
【図２】建物に設置した外壁パネルをビス止めする状態を示す斜視図である。
【図３】本実施の形態にかかる外壁ビス止め治具の部品図である。このうち、（ａ）は斜視図、（ｂ）は側面図、（ｃ）は端面図である。
【図４】外壁ビス止め治具に使用するビスの部品図である。このうち、（ａ）は側面図、（ｂ）は端面図である。
【図５】外壁ビス止め治具にビスを装着した状態を示す斜視図である。
【図６】図５の外壁ビス止め治具を外壁パネルの目地へ挿入配置した状態を示す斜視図である。
【図７】図６の外壁ビス止め治具をビスから引き抜く状態を示す斜視図である。
【図８】外壁ビス止め治具を引き抜いた後でビスを目地に捩じ込む状態を示す斜視図である。
【発明を実施するための形態】
【０００９】
以下、本実施の形態を、図面を用いて詳細に説明する。
図１〜図８は、この実施の形態を説明するためのものである。
【実施例１】
【００１０】
＜構成＞以下、構成について説明する。
【００１１】
住宅などの建物では、図１に示すように、建物本体１に対し、外壁パネル２を設置して、図２に示すように、ビス止めすることで、建物本体１に外壁パネル２を固定するようなことが行われている。
【００１２】
（１）この実施例の外壁ビス止め治具４は、図３に示すようなものであり、建物本体１に外壁パネル２をビス３（図４）で固定する際に、図５〜図８のようにして用いられる。この外壁ビス止め治具４を、外壁パネル２の目地５（図２）へ先端部を挿入配置可能な治具本体６と、治具本体６の側部に設けられてビス３を治具本体６に着脱可能に保持すると共に、保持したビス３を目地５へ臨ませるビス保持部７とを有するものとしても良い。
【００１３】
ここで、建物本体１は、外壁パネル２を取付けるようにしたものであれば、どのような構造のものであっても良い。また、建物本体１は、新築でも、リフォームでも良い。
【００１４】
外壁パネル２は、建物の外壁を構成するパネルであり、所定の大きさや形状を有するパネル状の建築資材である。外壁パネル２は、工業製品として所定の寸法精度と品質とを備えている。外壁パネル２は、目地５を有するもの、例えば、タイル調やレンガ調やその他のものなどとすることができる。この実施例では、外壁パネル２は、タイル調のものとされている。
【００１５】
ビス３は、建物本体１に外壁パネル２を取付けるために用いる固定具であり、建物本体１に外壁パネル２を取付けることができればどのようなものとしても良い。例えば、ビス３は、図４のようなものとすることができる。このビス３は、胴部３ａと頭部３ｂとを有している。これ以外のビス３の構成については後述する。なお、必要な場合には、ビス３に釘などを含むことができる。この場合には、ビス３を釘と読み替えるものとする。
【００１６】
外壁ビス止め治具４は、建物本体１に対して外壁パネル２をビス３で固定する際に用いる補助具である。通常の場合、目地５は、使用するビス３の頭部３ｂに対して幅が十分に広くなっているため、ビス３を捩じ込むことがさほど難しくないので、この実施例のような外壁ビス止め治具４は、使われていない。
【００１７】
目地５は、タイル２ａとタイル２ａとの間にできる隙間、または、レンガとレンガとの間にできる隙間などのことである。目地５は、タイル２ａやレンガなどの外壁材の表面よりも凹んだ溝などとなっており、溝の内部には、タイル２ａやレンガなどの外壁材どうしの繋ぎやシール部材などとなる目地材などが設置または充填されている。なお、外壁パネル２の場合には、内側の目地５は、デザイン的に形成された擬似的なものとなっている。目地５には、タイル２ａやレンガなどの向きによって縦目地５Ａや横目地５Ｂなどが存在する（図２）。
【００１８】
治具本体６の先端部は、治具本体６の目地５側へ向けられる端部のことである。これに対し、治具本体６の目地５とは反対の側へ向けられる端部を基端部（または後端部）とする。図３では、下端側が治具本体６の先端部となり、上端側が治具本体６の基端部となっている。
【００１９】
治具本体６は、外壁ビス止め治具４の主要部のことである。
【００２０】
治具本体６の側部は、治具本体６の片側または両側の辺のことである。または、治具本体６の側部は、治具本体６の片側または両側面としても良い。この実施例では、治具本体６の側部は、治具本体６の片側の辺となっている。治具本体６の側部は、治具本体６の先端側から基端側にかけての全体または一部とすることができる。
【００２１】
ビス３を目地５へ臨ませるとは、ビス保持部７にビス３を保持した状態で、治具本体６の先端部を目地５へ挿入することで、ビス３が目地５へ向いてそのままビス３の目地５への捩じ込み（または打ち込み）が可能になることである。
【００２２】
ビス保持部７は、ビス３を着脱可能に保持できればどのようなものでも良い。ビス保持部７は、例えば、フック状の係止部やクランプ部などとすることができる。この実施例のビス保持部７については後述する。治具本体６の（片側または両側の）側部に対しビス保持部７は、一箇所または複数箇所設けることができる。この実施例では、ビス保持部７は、治具本体６の片側の側部に一箇所設けられている。なお、ビス保持部７は、治具本体６の先端部を目地５へ挿入配置した状態で、保持したビス３を目地５へ臨ませるものとされる。
【００２３】
（２）ビス保持部７は、治具本体６の先端部を目地５へ挿入したときに、目地５に沿って延設される一対の挟着片１１を有しても良い。
【００２４】
ここで、挟着片１１は、ビス３を挟んだ状態で保持（挟着）するもののことである。ビス３を挟んで保持するために、挟着片１１は一対設けられる。一対の挟着片１１は、ビス３を直径方向の両側から挟着するのが好ましい。一対の挟着片１１は、ビス３を摩擦力や弾性力などによって保持するものとすることができる。一対の挟着片１１は、形状や大きさが異なるものとすることもできるが、形状や大きさが同じものとするのが好ましい。ビス３は、一対の挟着片１１の間に、胴部３ａや頭部３ｂを挟着保持される。この実施例では、一対の挟着片１１の間でビス３の胴部３ａを挟着保持するようにしている。ビス３は、一対の挟着片１１に対し、挟着片１１の先端側や、治具本体６の基端側から装着することができる。なお、挟着片１１の先端側とは、治具本体６とは反対側に位置する挟着片１１の自由端の側のことである。
【００２５】
（３）一対の挟着片１１は、治具本体６の先端側に設けられ、外面間の間隔２１が目地５の幅２２（図６）とほぼ等しい寸法とされ、内面間の間隔２３がビス３の胴部３ａの直径２４（図４）とほぼ同等の寸法とされても良い。
【００２６】
ここで、治具本体６の先端側とは、治具本体６の先端部または治具本体６の中央部よりも先端寄りの部分のことである。
【００２７】
挟着片１１の外面は、目地５の側壁５ａ（図６）へ向いた面、または、目地５の側壁５ａとほぼ接する面のことである。
【００２８】
外面間の間隔２１は、一対の挟着片１１の最大幅の部分の寸法とすることができる。外面間の間隔２１は、少なくとも一部が目地５の幅２２とほぼ等しい寸法となっていれば良い。
【００２９】
目地５の幅２２は、目地５の側壁５ａ間の間隔のことである。外壁パネル２では、目地５の幅２２は、全長に亘ってほぼ一定に形成される。なお、目地５の幅２２は、縦目地５Ａと横目地５Ｂとを同じにしても、異ならせても良い。縦目地５Ａと横目地５Ｂとで目地５の幅２２が同じ場合には、外壁ビス止め治具４は、縦目地５Ａおよび横目地５Ｂに共通して使えるものとなり、目地５の幅２２が異なる場合には、外壁ビス止め治具４は縦目地５Ａと横目地５Ｂとでそれぞれ専用のものを使用する。この実施例では、縦目地５Ａと横目地５Ｂとで目地５の幅２２が同じものとして説明する。
【００３０】
等しい寸法は、目地５の幅２２と全く同じ寸法か、同じと見なせる程度の僅かな誤差を含む寸法のことである。なお、一対の挟着片１１が目地５の内部へ挿入される場合などには、一対の挟着片１１の外面間の間隔２１を目地５の幅２２よりも小さくすることができるし、一対の挟着片１１が目地５の内部へ挿入されない場合などには、一対の挟着片１１の外面間の間隔２１を目地５の幅２２よりも大きくすることができるが、どちらの場合でも対応できるように、一対の挟着片１１の外面間の間隔２１は目地５の幅２２と等しい寸法にしておくのが好ましい。
【００３１】
挟着片１１の内面は、目地５の側壁５ａとは反対側となる面のことである。
【００３２】
内面間の間隔２３は、一対の挟着片１１間のビス３の胴部３ａを挟着する部分の寸法のことである。内面間の間隔２３は、少なくとも一部がビス３の胴部３ａの直径２４とほぼ同等の寸法となっていれば良い。
【００３３】
ビス３の胴部３ａは、頭部３ｂ以外の軸部分のことである。図４に示すように、胴部３ａは、軸線方向に対してほぼ一定の径寸法を有する丸棒状のものとされると共に、胴部３ａの外周には、螺旋状のネジ山３ｃ（雄ネジ）が形成されている。また、胴部３ａの先端には尖った尖鋭部３ｄが形成されている。
【００３４】
胴部３ａの直径２４は、ネジ山３ｃの外径のことである。
【００３５】
胴部３ａの直径２４と同等の寸法とは、胴部３ａの直径２４と全く等しい寸法か、同じと見なせる程度の僅かな誤差を含む寸法のことである。なお、一対の挟着片１１は、間にビス３の胴部３ａを挟着保持できれば良いため、ある程度の誤差については許容できる。
【００３６】
そして、一対の挟着片１１は少なくとも一部に平行な部分を有するものとされる。この実施例では、一対の挟着片１１は全体がほぼ平行になっている。
【００３７】
（４）挟着片１１は、目地５の深さ３１（図６）とほぼ同等の板幅３２を有して、ビス３の頭部３ｂの直径３３（図４）よりも長く延びても良い（挟着片１１の長さ３４＞ビス３の頭部３ｂの直径３３）。
【００３８】
ここで、目地５の深さ３１は、目地５の入口５ｂから底面５ｃまでの奥行き方向の距離のことである。外壁パネル２では、目地５の深さ３１は、ほぼ一定とされている。この実施例では、目地５の入口５ｂは、タイル２ａの表面であり、目地５の深さ３１は、タイル２ａの厚みとなっている。
【００３９】
板幅３２は、目地５の深さ方向に対する挟着片１１の面の幅寸法のことである。
【００４０】
目地５の深さ３１と同等の板幅３２とは、目地５の深さ３１と全く等しい寸法か、同じと見なせる程度の僅かな誤差を含む寸法のことである。なお、挟着片１１の板幅３２は、目地５の深さ３１とほぼ同等とするのが好ましいが、目地５の深さ３１に対して若干大きいか、または、若干小さい寸法となっていても許容できる。
【００４１】
ビス３の頭部３ｂは、ビス３の端部（基端部）に形成されたフランジ部のことである。頭部３ｂは、ドライバーなどの締結用工具３５（図６）の先を差し込んで回転を伝えるための「＋」または「−」形状の溝部３ｅ（図４（ｂ））が形成されることで、ビス３の捩じ込みのための操作部となる。また、頭部３ｂは、ビス３の捩じ込み後には外壁パネル２に対する抜け止め部となる。
【００４２】
頭部３ｂの直径３３は、胴部３ａの直径２４よりも大径とされる（頭部３ｂの直径３３＞胴部３ａの直径２４）。なお、この実施例では、目地５の幅２２は、頭部３ｂの直径３３に対して若干広い程度の、通常よりも狭幅のものとされている。
【００４３】
頭部３ｂの直径３３よりも長く延びるとは、挟着片１１が、頭部３ｂの直径３３より僅かにでも長くなっていれば良い。挟着片１１は、例えば、頭部３ｂの直径３３の約１．５倍〜４倍程度の長さ３４などにするのが、外壁ビス止め治具４の取扱性や利便性などを向上する上では好ましい。
【００４４】
（５）治具本体６は、先端部が目地５の内部へ挿入される挿入部４１とされ、挿入部４１よりも基端側が把持部４２とされても良い。
【００４５】
ここで、挿入部４１は、目地５の内部へ挿入される部分である。挿入部４１は、治具本体６の先端部における、目地５の深さ３１（または挟着片１１の板幅３２）とほぼ同じ長さの範囲の部分に形成される。
【００４６】
把持部４２は、先端部を目地５の内部へ挿入したときに、目地５の外部に出る部分のことである。把持部４２は、挿入部４１と連続して設けられる。把持部４２は、挿入部４１やビス保持部７を使用し易くするためには、適度な長さや大きさや形状とするのが好ましい。把持部４２は、挿入部４１と同じ大きさや形状にしても良いが、異なる大きさや形状にしても良い。この実施例では、把持部４２を挿入部４１よりも長くして、指で掴み易い大きさや形状にしている。
【００４７】
（６）治具本体６は、挿入部４１と把持部４２とが、目地５の幅２２とほぼ同等の厚み４５を有しても良い。
【００４８】
ここで、治具本体６の厚み４５は、挿入部４１と把持部４２とで異なるようにすることができるが、挿入部４１と把持部４２とで厚み４５を同じにするのが好ましい。例えば、挿入部４１は、その厚み４５を、目地５の幅２２よりも薄くすることができる。また、把持部４２は、その厚み４５を、目地５の幅２２よりも薄くしたり厚くしたりすることができる。しかし、挿入部４１と把持部４２とは、目地５の幅２２と同等の厚み４５に揃えるのが好ましい。
【００４９】
同等の厚み４５とは、全く等しいか、同じと見なせる程度の僅かな誤差を含む厚みのことである。なお、治具本体６の厚み４５は、挿入部４１が目地５へ挿入できれば良いため、ある程度の誤差については許容できる。
【００５０】
（７）治具本体６は、一対のほぼＬ字型をした板材５１の間に、スペーサ５２を挟み込んで一体化したものとしても良い。
【００５１】
ここで、一対のＬ字型をした板材５１は、互いに同じ形状で互いに同じ大きさのものとするのが好ましい。一対のＬ字型をした板材５１は、ほぼ一定の肉厚を有するほぼ平坦なものとされる。一対のＬ字型をした板材５１は、同じ素材で形成することができるし、異なる素材で形成することもできる。一対のＬ字型をした板材５１は、金属や樹脂で形成することができる。この実施例では、一対のＬ字型をした板材５１は、耐久性を考慮して共に金属（例えば、ステンレスなど）で形成するようにしている。
【００５２】
スペーサ５２は、Ｌ字型をした板材５１からハミ出るような大きさや形状にしても良いが、ハミ出ない大きさや形状にするのが好ましい。スペーサ５２は、金属や樹脂で形成することができる。スペーサ５２を金属で形成した場合には、スペーサ５２は、Ｌ字型をした板材５１に、例えば、溶接や接着などによって取付けることができる（溶接部５３）。スペーサ５２を樹脂で形成した場合には、スペーサ５２は、Ｌ字型をした板材５１に、例えば、溶着や接着などによって取付けることができる。この実施例では、スペーサ５２は板材５１と同じく金属（例えば、ステンレスなど）で形成している。
【００５３】
（８）一対のＬ字型をした板材５１は、治具本体６となる直線部５５と、直線部５５の先端から横へ延びてビス保持部７となる横行部５６とを有し、スペーサ５２は、ほぼＩ字型をして、直線部５５間に介在され、横行部５６間には間隙部５７が形成されるようにしても良い。
【００５４】
直線部５５は、治具本体６の先端部を目地５の内部へ挿入したときに、外壁パネル２の面とほぼ面直に延びるものとされる。直線部５５は、治具本体６の上記した挿入部４１と把持部４２とを構成する。治具本体６は、挿入部４１から把持部４２まで、均一の幅となっている。直線部５５の幅および長さは、治具本体６を指で摘み易いように、親指の幅や親指の第一関節から先の長さに近い大きさなどとするのが好ましい。例えば、直線部５５の幅は、１０ｍｍ〜２０ｍｍ程度にするのが好ましい。なお、直線部５５の幅は、直線部５５の厚み４５よりも広くするのが好ましい。直線部５５の幅は、横行部５６の長さ（挟着片１１の長さ３４）とは直接関係ないが、この実施例では、直線部５５の幅は挟着片１１の長さ３４よりも若干短くなっている。また、例えば、直線部５５全体の長さは、２０ｍｍ〜３０ｍｍ程度にするのが好ましい。なお、直線部５５全体の長さは、挟着片１１の長さ３４と同じかそれよりも長くまたは短くすることができる。
【００５５】
横へ延びるとは、板材５１の面内で横向きに延長されることである。
【００５６】
横行部５６は、ビス保持部７の挟着片１１を構成する。横行部５６は、治具本体６の先端部を目地５の内部へ挿入したときに、目地５の内部または外部に位置して、治具本体６の先端側の部分から外壁パネル２の面（または目地５）に沿って延びるものとされる。なお、板材５１がＬ字型をしていることによって、横行部５６は、少なくとも一部または全部が目地５の内部へ挿入されることになる。横行部５６は、直線部５５に対し、ほぼ９０度の角度を有して横へ延びるようにするのが好ましい。
【００５７】
間隙部５７は、スペーサ５２の厚み５８とほぼ等しいほぼ一定の隙間となる。但し、間隙部５７は、スペーサ５２の厚み５８に対し若干異なる間隔となっていても許容できる。
【００５８】
Ｉ字型のスペーサ５２は、直線部５５と同じ平面形状をして、全体に一定の厚み５８を有するのが好ましい。
【００５９】
（９）スペーサ５２は、ビス３の胴部３ａの直径２４とほぼ同等の厚み５８を有しても良い。
【００６０】
スペーサ５２の厚み５８は、ビス３の胴部３ａの直径２４とは異なる厚さとすることができるが、ビス３の胴部３ａの直径２４と同等の厚み５８にするのが好ましい。同等の厚み５８とは、ビス３の胴部３ａの直径２４とスペーサ５２の厚み５８とが、全く等しい寸法か、同じと見なせる程度の僅かな誤差を含む寸法のことである。なお、スペーサ５２をビス３の胴部３ａの直径２４と同等の厚み５８にした場合、治具本体６の厚み４５を目地５の側壁５ａへの挿入に適した寸法にするためには、Ｌ字型をした板材５１の板厚を調整すれば良い。
【００６１】
＜作用＞以下、この実施例の作用について説明する。
【００６２】
建物（の建物本体１）に外壁パネル２を取付ける場合、まず、図１に示すように、建物本体１の外面部分に沿って外壁パネル２を縦向きに設置する。この場合、建物本体１の外面部分には、外壁パネル２を取付けるための下地として胴縁８１を予め設置しておく。胴縁８１は縦胴縁でも横胴縁でも良いが、この実施例の場合には、縦胴縁としている。縦胴縁は、横方向に所要の間隔を有して複数設置されている。この実施例では、縦胴縁は、外壁パネル２の両端部や幅中央部などの位置に設置されている。そして、外壁パネル２は、図に白抜き矢印で示すように、下側のものから順番に上へ設置して行く。この際、図に仮想線で示すように、各外壁パネル２の両端部や幅中央部などの縦目地５Ａを上下方向に連続するように揃える。
【００６３】
そして、図２に示すように、建物本体１に設置した外壁パネル２を胴縁８１（縦胴縁）などにビス止めする。ビス止めには、図３に示すような外壁ビス止め治具４と、図４に示すようなビス３を用いるようにする。
【００６４】
即ち、まず、図５に示すように、外壁ビス止め治具４のビス保持部７にビス３を装着する。この場合、ビス３は、頭部３ｂが治具本体６の基端側（把持部４２の側）に位置するようにビス保持部７にセットする。
【００６５】
次に、図６に示すように、ビス３を装着した外壁ビス止め治具４の先端部（挿入部４１）を目地５の内部へ挿入配置する。この実施例では、挿入部４１と共にビス保持部７やビス３も目地５の内部へ挿入される。そして、外壁ビス止め治具４に装着されたビス３を、外壁ビス止め治具４に装着された状態のまま、図７に示すように、途中まで目地５に捩じ込む。
【００６６】
そして、ビス３が目地５にある程度捩じ込まれたら、図に黒塗りの矢印で示すように、外壁ビス止め治具４を目地５に沿い横（ビス保持部７とは反対側）へ移動して、ビス３から引き抜く。なお、外壁ビス止め治具４は、ビス３を挟着片１１の近くまでビス３を捩じ込んだことを確認してから、目地５およびビス３から引き抜くのが、取扱い上は好ましい。
【００６７】
最後に、図８に示すように、ビス３の残りの部分を目地５へ捩じ込む。以上により、目地５にビス３が捩じ込まれ、外壁パネル２の一部がビス３で固定される。
【００６８】
＜効果＞この実施例によれば、以下のような効果を得ることができる。
【００６９】
（効果 １）外壁ビス止め治具４は、治具本体６にビス保持部７を備えたものとしても良い。これにより、ビス保持部７にビス３を保持した状態にして、外壁パネル２の目地５の内部へ治具本体６の先端部を挿入することで、ビス保持部７に保持されたビス３を目地５へ臨むようにセットすることができる。そのため、ビス保持部７に保持されたビス３をそのままの状態で目地５へ捩じ込むことができるようになり、ビス３を目地５へ捩じ込むことで、素早く簡単確実に外壁パネル２を建物本体１に固定することができる。しかも、ビス３の捩じ込み作業には、特に熟練を要しない。
【００７０】
そして、外壁ビス止め治具４を用いることで、建物本体１の低所から高所までバラ付きなく安定してビス３を整然と取付けることができる。即ち、建物本体１に対する取付位置の高さに拘らず、常に一定の状態でビス３を捩じ込むことができる。このような外壁ビス止め治具４は、通常の目地５に対しても使用できるが、例えば、通常よりも目地５の幅２２が狭くなっていて、ビス３を普通に捩じ込むのが難しくなっているような外壁パネル２を取付ける場合などに用いると、効果的である。
【００７１】
この際、外壁ビス止め治具４では、ビス保持部７に対して安定してビス３を保持しておけるので、捩じ込み前や捩じ込み中などにビス３を指で持っている必要などがなく、しかも、グラ付きなく安定した状態でビス保持部７に確実にビス３を保持できるので、目地５への捩じ込みが楽でしかも正確になる。また、ビス保持部７は、ビス３の着脱が可能で、取扱いも容易であり、ビス保持部７に対するビス３の装着の手間が掛らない。
【００７２】
更に、外壁パネル２の目地５とビス３の頭部３ｂとのクリアランスが小さく、外壁パネル２をビス３の頭部３ｂなどで傷付けてしまい易いような状況であっても、外壁ビス止め治具４を用いることで、外壁パネル２を傷付けることなく、目地５のセンターに真っ直ぐ正確にビス３を捩じ込むことができる。よって、上記したように、外壁パネル２の目地５が既存のものより狭くなっていても支障なく確実にビス３を捩じ込むことが可能になる。そのため、外壁パネル２に対する設計自由度を向上したり、外壁パネル２の製造上のバラ付きに対する施工上の許容範囲を広げたりすることができる。
【００７３】
これに対し、既存のものよりも狭い目地５を有する外壁パネル２に対して、例えば、養生テープなどを外壁パネル２の表面に貼って、外壁パネル２を養生テープで保護するようにしてから直接ビス３を捩じ込むようにした場合には、養生テープを貼り付けたり剥がしたりするのに余計な手間が掛る。そして、養生テープは目地５のセンターにビス３を真っ直ぐに捩じ込む機能を備えてはおらず、また、養生テープの巻き込みなどによって美しく仕上がらない可能性などが考えられる。更に、養生テープは雨天だと外壁パネル２に貼り付けることができない。よって、養生テープは、作業上ほとんど役に立たない。
【００７４】
しかし、外壁ビス止め治具４を用いれば、養生テープのような巻き込みなどが生じないため、仕上がりも美しくなる。また、外壁ビス止め治具４は、養生テープと違って雨天などでも支障なく使用することができる。
【００７５】
（効果 ２）外壁ビス止め治具４は、ビス保持部７が、一対の挟着片１１を有しても良い。これにより、ビス保持部７は、一対の挟着片１１の間でビス３を簡単確実に挟着保持することができる。また、一対の挟着片１１の間へのビス３の着脱なども簡単に行うことができる。
【００７６】
そして、一対の挟着片１１は、治具本体６の先端部を目地５へ挿入したときに、目地５に沿って延設されるものとしても良い。これにより、一対の挟着片１１にビス３を挟着保持した状態にして、治具本体６の先端部を目地５へ挿入することで、ビス３を目地５に沿って配置することができる。そのため、挟着片１１に挟着保持したビス３を確実に目地５に捩じ込むことができる。
【００７７】
また、外壁ビス止め治具４を用いることにより、ビス３を、一対の挟着片１１で挟着保持したまま、挟着片１１に当たる深さまで確実に捩じ込むことができるので、外壁ビス止め治具４をビス３から引き抜いた後も、ビス３をグラ付きなく捩じ込むことができる。
【００７８】
（効果 ３）外壁ビス止め治具４は、一対の挟着片１１を、治具本体６の先端側に設けても良い。これにより、治具本体６の先端部を目地５へ挿入したときに、治具本体６の先端部と共に、一対の挟着片１１の少なくとも一部を目地５の内部へ挿入させることが可能になる。一対の挟着片１１の少なくとも一部が目地５の内部へ挿入されることで、一対の挟着片１１、および、一対の挟着片１１に挟着保持されたビス３を目地５の内部で安定させることができる。
【００７９】
そして、一対の挟着片１１を、外面間の間隔２１が目地５の幅２２と等しい寸法になるようにしても良い。これにより、一対の挟着片１１の少なくとも一部を目地５の内部へ挿入したときに、一対の挟着片１１を目地５の内部にほぼ隙間のない状態でしっかりと安定保持させることができる。そのため、手を離しても、外壁ビス止め治具４を自力で目地５に保持させることが可能となる。
【００８０】
また、一対の挟着片１１を、内面間の間隔２３がビス３の胴部３ａの直径２４と同等の寸法になるようにしても良い。これにより、一対の挟着片１１間の間隔がビス３の直径２４と同等になるので、目地５への捩じ込みの前後においてビス３の胴部３ａをほぼ一定の力（摩擦保持力など）で安定して挟着保持し続けることができる。または、一対の挟着片１１の少なくとも一部を目地５の内部へ挿入した後も、目地５への挿入前とほぼ同じ力でビス３の胴部３ａを安定して挟着保持し続けることができる。或いは、一対の挟着片１１は、ビス３の胴部３ａのどの部位を保持しているときでも、常にほぼ一定の挟着力を発揮することができるようになる。これに対し、ビス３の胴部３ａは、螺旋状のネジ山３ｃが、上記した内面間の間隔２３を有する一対の挟着片１１に対して、線当たりまたは複数点で点当たりすることで、一対の挟着片１１間で確実に挟着保持される。
【００８１】
（効果 ４）外壁ビス止め治具４は、挟着片１１を、目地５の深さ３１と同等の板幅３２にしても良い。これにより、挟着片１１を目地５の内部に完全に挿入させることや、挟着片１１の全部を目地５の内部へ挿入したときに、挟着片１１の手前側の部分（後側となる縁部）が外壁パネル２の表面の位置に揃うようにすることが可能になる。これにより、外壁パネル２を傷付けずに、外壁パネル２の表面ギリギリの深さまでビス３を捩じ込むことができるようになり、これによって、外壁ビス止め治具４を目地５などから引き抜いた後に、ビス３を最後までグラ付きなく確実に捩じ込むことができるようになる。
【００８２】
また、挟着片１１を、ビス３の頭部３ｂの直径３３よりも長く延ばすようにしても良い。これにより、ビス３の頭部３ｂが治具本体６などと干渉し難くなるため、ビス保持部７にビス３を安定して挟着保持しておけるようになる。そして、一対の挟着片１１の間に余裕を持って単数または複数のビス３を保持させることや、単数または複数のビス３を挟着片１１で保持したまま、容易に目地５にビス３を捩じ込むことなどが可能になる。
【００８３】
（効果 ５）外壁ビス止め治具４は、治具本体６の先端部を目地５の内部に挿入される挿入部４１とし、基端側を把持部４２としても良い。これにより、治具本体６は、把持部４２を有していることで取扱い易いものになると共に、把持部４２を持って治具本体６を操作することで、先端部を目地５へ挿入することが容易になる。また、把持部４２を持って先端部の向きを変えることで、縦目地５Ａにも横目地５Ｂにも容易に先端部を挿入することができる。
【００８４】
（効果 ６）外壁ビス止め治具４は、治具本体６を、挿入部４１と把持部４２とが、目地５の幅２２と同等の厚み４５を有するものとしても良い。これにより、挿入部４１は、手を離しても、自力で目地５に保持されるものとなる。
【００８５】
また、治具本体６の全体を目地５の幅２２にまで薄型化して、外壁ビス止め治具４を小型で取扱い易く、身に着けたり持ち運んだりし易い、手軽なものにすることができる。更に、治具本体６の挿入部４１と把持部４２とが同じ厚み４５を有することで、外壁ビス止め治具４は、挿入部４１の厚み４５を見たり触ったりするだけで、どのような目地５を有する外壁パネル２に使用するものであるかが、簡単に分かるようになる。
【００８６】
（効果 ７）外壁ビス止め治具４は、治具本体６を、一対のＬ字型をした板材５１の間に、スペーサ５２を挟み込んで一体化したものとしても良い。これにより、外壁ビス止め治具４を、無駄のない合理的な構造にすると共に、機能的な形状にして、シンプルなものにすることができる。
【００８７】
また、治具本体６を、一対の板材５１とスペーサ５２とによる三層構造のものとすることで、少ない部品構成で、外壁ビス止め治具４に必要な機能の全てを実現できる。また、板材５１の厚み４５やスペーサ５２の厚み５８を変えるだけで、目地５の幅２２やビス３の直径２４に合った外壁ビス止め治具４を容易且つ自在に作り出すことができる。
【００８８】
（効果 ８）外壁ビス止め治具４は、一対のＬ字型をした板材５１と、直線部５５と、横行部５６とを有するものとしても良い。これにより、Ｌ字の直線部５５をそのまま治具本体６とし、直線部５５の先端の横行部５６をそのままビス保持部７として使うことができる。また、横行部５６（ビス保持部７）を直線部５５（治具本体６）の先端部と共に目地５へ挿入させることができる。
【００８９】
そして、スペーサ５２をＩ字型にして、板材５１の直線部５５間に介在させるようにしても良い。これにより、スペーサ５２で直線部５５（治具本体６）を所要の厚み４５に設定すると共に、スペーサ５２が入らない横行部５６間に、ビス保持部７となる間隙部５７を形成することができる。
【００９０】
（効果 ９）外壁ビス止め治具４は、スペーサ５２を、ビス３の胴部３ａの直径２４と同等の厚み５８にしても良い。これにより、スペーサ５２の厚み５８によって、一対のＬ字型をした板材５１の横行部５６（ビス保持部７の一対の挟着片１１）の間隙部５７を正確にビス３の直径２４に設定することができると共に、最適な大きさのビス３以外のビスが誤って使用されるのを防止できる。
【符号の説明】
【００９１】
１      建物本体
２      外壁パネル
３      ビス
３ａ    胴部
４      外壁ビス止め治具
５      目地
６      治具本体
７      ビス保持部
１１    挟着片
２１    外面間の間隔
２２    目地の幅
２３    内面間の間隔
２４    胴部の直径
３１    目地の深さ
３２    板幅
３ｂ    頭部
３３    直径
４１    挿入部
４２    把持部
４５    治具本体の厚み
５１    板材
５２    スペーサ
５５    直線部
５６    横行部
５７    間隙部
５８    スペーサの厚み
【図１】
2020097838.tif 000003
【図２】
2020097838.tif 000004
【図３】
2020097838.tif 000005
【図４】
2020097838.tif 000006
【図５】
2020097838.tif 000007
【図６】
2020097838.tif 000008
【図７】
2020097838.tif 000009
【図８】
2020097838.tif 000010